(57)【要約】【課題】ユーザの利便性の向上を図ることができる冷蔵庫を提供することである。【解決手段】実施形態の冷蔵庫は、断熱筐体と、収容部とを持つ。前記断熱筐体は、天井壁を有する。前記収容部は、第１収容部と、第２収容部とのうち少なくとも一方を含む。前記第１収容部は、前記断熱筐体の内部に設けられ、冷気吹出口が存在しないとともに、予備電源装置と、防災用品と、持ち運び可能な照明装置とのうち少なくとも１つを収容可能である。前記第２収容部は、前記天井壁の上面に形成された窪み部に設けられ、少なくとも一部がポータブル電源として使用可能な予備電源装置と、防災用品と、照明装置とのうち少なくとも１つを収容可能である。【選択図】図３
2020085298.tif 000002
【特許請求の範囲】
【請求項１】
天井壁を有した断熱筐体と、
前記断熱筐体の内部に設けられ、冷気吹出口が存在しないとともに、予備電源装置と、防災用品と、持ち運び可能な照明装置とのうち少なくとも１つを収容可能な第１収容部と、前記天井壁の上面に形成された窪み部に設けられ、少なくとも一部がポータブル電源として使用可能な予備電源装置と、防災用品と、照明装置とのうち少なくとも１つを収容可能な第２収容部とのうち少なくとも一方を含む収容部と、
を備えた冷蔵庫。
【請求項２】
前記収容部は、前記第１収容部を含む、
請求項１に記載の冷蔵庫。
【請求項３】
前記断熱筐体は、複数の貯蔵室を含み、
前記第１収容部は、前記複数の貯蔵室のなかで最上段の貯蔵室と前記天井壁との間に設けられている、
請求項２に記載の冷蔵庫。
【請求項４】
前記第１収容部は、前記最上段の貯蔵室と前記第１収容部の収容空間との間に設けられた仕切り壁を有する、
請求項３に記載の冷蔵庫。
【請求項５】
前記仕切り壁の少なくとも一部は、断熱性を持つ、
請求項４に記載の冷蔵庫。
【請求項６】
前記第１収容部は、前記冷蔵庫の前方に向けて開口した開口と、前記開口を開閉可能に閉じる前面カバーとを有する、
請求項２から請求項５のうちいずれか１項に記載の冷蔵庫。
【請求項７】
前記第１収容部は、前記予備電源装置が電気的に接続されるコネクタを有し、
前記予備電源装置は、前記予備電源装置が前記コネクタに電気的に接続されることで、外部電源から前記冷蔵庫に供給される電力の一部を用いて充電可能である、
請求項２から請求項６のうちいずれか１項に記載の冷蔵庫。
【請求項８】
前記予備電源装置の少なくとも一部は、ポータブル電源として前記断熱筐体から分離して使用可能である、
請求項７に記載の冷蔵庫。
【請求項９】
前記第１収容部は、前記防災用品を収容可能な防災用品収容室を含む、
請求項２から請求項８のうちいずれか１項に記載の冷蔵庫。
【請求項１０】
前記第１収容部は、前記照明装置が電気的に接続されるコネクタを有し、
前記照明装置は、前記照明装置が前記コネクタに電気的に接続されることで、外部電源から前記冷蔵庫に供給される電力の一部を用いて充電可能である、
請求項２から請求項９のうちいずれか１項に記載の冷蔵庫。
【請求項１１】
前記収容部は、前記第２収容部を含む、
請求項１から請求項１０のうちいずれか１項に記載の冷蔵庫。
【請求項１２】
前記第２収容部は、前記天井壁に着脱可能に取り付けられ、前記第２収容部の収容空間を上方から覆うカバーを有する、
請求項１１に記載の冷蔵庫。
【請求項１３】
前記第２収容部は、前記予備電源装置が電気的に接続されるコネクタを有し、
前記予備電源装置は、前記予備電源装置が前記コネクタに電気的に接続されることで、外部電源から前記冷蔵庫に供給される電力の一部を用いて充電可能である、
請求項１１または請求項１２に記載の冷蔵庫。
【請求項１４】
前記第２収容部は、前記防災用品を収容可能な防災用品収容室を含む、
請求項１１から請求項１３のうちいずれか１項に記載の冷蔵庫。
【請求項１５】
前記第２収容部は、前記照明装置が電気的に接続されるコネクタを有し、
前記照明装置は、前記照明装置が前記コネクタに電気的に接続されることで、外部電源から前記冷蔵庫に供給される電力の一部を用いて充電可能である、
請求項１１から請求項１４のうちいずれか１項に記載の冷蔵庫。
【発明の詳細な説明】
【技術分野】
【０００１】
本発明の実施形態は、冷蔵庫に関する。
【背景技術】
【０００２】
二次電池を備えた冷蔵庫が提案されている。ところで、冷蔵庫は、ユーザの利便性のさらなる向上を図ることができると好ましい。
【先行技術文献】
【特許文献】
【０００３】
【特許文献１】特開２０１５−４６９６１号公報
【発明の概要】
【発明が解決しようとする課題】
【０００４】
本発明が解決しようとする課題は、ユーザの利便性の向上を図ることができる冷蔵庫を提供することである。
【課題を解決するための手段】
【０００５】
実施形態の冷蔵庫は、断熱筐体と、収容部とを持つ。前記断熱筐体は、天井壁を有する。前記収容部は、第１収容部と、第２収容部とのうち少なくとも一方を含む。前記第１収容部は、前記断熱筐体の内部に設けられ、冷気吹出口が存在しないとともに、予備電源装置と、防災用品と、持ち運び可能な照明装置とのうち少なくとも１つを収容可能である。前記第２収容部は、前記天井壁の上面に形成された窪み部に設けられ、少なくとも一部がポータブル電源として使用可能な予備電源装置と、防災用品と、照明装置とのうち少なくとも１つを収容可能である。
【図面の簡単な説明】
【０００６】
【図１】第１の実施形態の冷蔵庫が設置される環境の一例を示す図。
【図２】第１の実施形態の冷蔵庫を示す正面図。
【図３】図２中に示された冷蔵庫のＦ３−Ｆ３線に沿う断面図。
【図４】第１の実施形態の冷蔵庫の電力線の接続関係を示すブロック図。
【図５】図３中に示された冷蔵庫収容部のＦ５−Ｆ５線に沿う断面図。
【図６】第１の実施形態の予備電源装置本体を示す斜視図。
【図７】図５中に示された防災ユニット収容部のＦ７−Ｆ７線に沿う断面図。
【図８】図５中に示された防災ユニット収容部のＦ８−Ｆ８線に沿う断面図。
【図９】第１の実施形態において水平面に対して所定角度だけ傾いた冷蔵庫を示す側面図。
【図１０】第１の実施形態の冷蔵庫の制御部の構成を示すブロック図。
【図１１】第２の実施形態の防災ユニット収容部を示す断面図。
【図１２】第２の実施形態の照明装置を示す斜視図。
【図１３】図１１中に示された防災ユニット収容部のＦ１３−Ｆ１３線に沿う断面図。
【図１４】第２の実施形態の第１変形例の防災ユニット収容部を示す断面図。
【図１５】第２の実施形態の第２変形例の冷蔵庫を示す断面図。
【図１６】第３の実施形態の冷蔵庫を示す断面図。
【図１７】第３の実施形態の冷蔵庫を示す平面図。
【図１８】図１７中に示された防災ユニット収容部のＦ１８−Ｆ１８線に沿う断面図。
【図１９】第４の実施形態の冷蔵庫を示す平面図。
【図２０】図１９中に示された防災ユニット収容部のＦ２０−Ｆ２０線に沿う断面図。
【図２１】第５の実施形態の冷蔵庫を示す平面図。
【図２２】第６の実施形態の冷蔵庫を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。本明細書において「横幅方向」とは、上記定義における左右方向を意味する。
【０００８】
本明細書で「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【０００９】
（第１の実施形態）
［１．冷蔵庫の設置環境の一例］
図１から図１０を参照して、第１の実施形態の冷蔵庫１について説明する。図１は、第１の実施形態の冷蔵庫１が設置される環境の一例を示す図である。冷蔵庫１は、例えば、無線通信部１７０を有し、ネットワークＮＷを介して端末装置２およびサーバ装置３と通信可能である。ネットワークＮＷは、インターネットやＷＡＮ（Wide Area Network）、家庭内のＬＡＮ（Local Area Network）などを含んでよい。ネットワークＮＷにおける一部または全部の通信は、無線で実現されてもよい。なお、冷蔵庫１は、端末装置２と直接に無線通信を行ってもよい。
【００１０】
端末装置２は、冷蔵庫１のユーザが使用する端末装置であり、例えば、スマートフォンやタブレット端末のような携帯型端末装置である。端末装置２は、表示装置２ａを有する。表示装置２ａは、液晶ディスプレイや有機ＥＬ（Electro Luminescence）ディスプレイなどであり、画像や文字を表示可能な表示画面（表示領域）Ｄ１を有する。
【００１１】
サーバ装置３は、例えば、国や自治体などが管理するサーバ装置である。サーバ装置３は、地震や台風、大雨、洪水などの災害発生時に災害情報を発信する。災害情報は、例えば、地震発生時に発信される緊急地震速報を含む。冷蔵庫１は、サーバ装置３から発信された災害情報をネットワークＮＷ経由で受信可能である。
【００１２】
［２．冷蔵庫の全体構成］
図２は、本実施形態の冷蔵庫１を示す正面図である。冷蔵庫１は、例えば、冷蔵庫本体１００と、防災ユニット収容部２００（図３参照）とを有する。防災ユニット収容部２００は、「収容部」の一例である。
【００１３】
［３．冷蔵庫本体の構成］
まず、冷蔵庫本体１００の構成について説明する。
冷蔵庫本体１００は、例えば、断熱筐体１１０（図３参照）、複数の扉１３０、冷却ユニット１４０（図３参照）、表示装置１５０、操作部１６０、無線通信部１７０、電源回路部１８０、加速度センサＡＳ、および制御部１９０を有する。
【００１４】
図３は、図２中に示された冷蔵庫１のＦ３−Ｆ３線に沿う断面図である。断熱筐体１１０は、例えば、外箱１１０ａと、内箱１１０ｂと、外箱１１０ａと内箱１１０ｂとの間に充填された断熱材１１０ｃとを有し、断熱性を持つ。断熱材１１０ｃは、例えば、発泡ウレタンのような発泡断熱材である。
【００１５】
断熱筐体１１０は、天井壁１１１、底壁１１２、左右の側壁１１３，１１４（図５参照）、および後壁１１５を有する。左右の側壁１１３，１１４は、底壁１１２の左右の端部から上方に起立し、天井壁１１１の左右の端部に繋がっている。後壁１１５は、底壁１１２の後端部から上方に起立し、天井壁１１１の後端部に繋がっている。
【００１６】
断熱筐体１１０の内部には、複数の貯蔵室１２０が設けられている。複数の貯蔵室１２０は、例えば、冷蔵室１２１、野菜室１２２、製氷室１２３（図２参照）、小冷凍室１２４、および主冷凍室１２５を含む。本実施形態では、最上部に冷蔵室１２１が配置され、冷蔵室１２１の下方に野菜室１２２が配置され、野菜室１２２の下方に製氷室１２３および小冷凍室１２４が配置され、製氷室１２３および小冷凍室１２４の下方に主冷凍室１２５が配置されている。ただし、貯蔵室１２０の配置は、上記例に限定されず、例えば野菜室１２２と主冷凍室１２５の配置が逆でもよい。断熱筐体１１０は、各貯蔵室１２０の前面側に、各貯蔵室１２０に対して食材の出し入れを可能にする開口Ｏを有する。
【００１７】
貯蔵室１２０の開口Ｏは、複数の扉１３０によって開閉可能に閉じられている。複数の１３０は、例えば、冷蔵室１２１の開口Ｏを閉じる左右の冷蔵室扉１３１Ａ，１３２Ｂ（図２参照）、野菜室１２２の開口Ｏを閉じる野菜室扉１３２、製氷室１２３の開口Ｏを閉じる製氷室扉１３３（図２参照）、小冷凍室１２４の開口Ｏを閉じる小冷凍室扉１３４、主冷凍室１２５の開口Ｏを閉じる主冷凍室扉１３５を含む。左右の冷蔵室扉１３１Ａ，１３１Ｂは、例えば、観音開き式の扉である。本実施形態では、右冷蔵室扉１３１Ｂの横幅方向の幅ＷＢは、左冷蔵室扉１３１Ａの横幅方向の幅ＷＡよりも大きい（図２参照）。すなわち、左右の冷蔵室扉１３１Ａ，１３１Ｂの境界は、冷蔵庫本体１００の横幅方向の中心（断熱筐体１１０の横幅方向の中心）に対して左側に偏って位置する。野菜室扉１３２、製氷室扉１３３、小冷凍室扉１３４、および主冷凍室扉１３５は、例えば、引き出し式の扉である。
【００１８】
次に、図３に戻り、冷却ユニット１４０について説明する。冷却ユニット１４０は、例えば、複数の冷却器１４１，１４２、複数のファン１４３，１４４、圧縮機１４５、および不図示の放熱パイプなどを含む。
【００１９】
複数の冷却器１４１，１４２は、例えば、冷蔵室１２１または野菜室１２２の背後に設けられた冷蔵室用冷却器１４１と、主冷凍室１２５または小冷凍室１２４の背後に設けられた冷凍室用冷却器１４２とを含む。複数のファン１４３は、冷蔵室用冷却器１４１で冷却された空気（冷気）を冷蔵室１２１および野菜室１２２で循環させる冷蔵室用ファン１４３と、冷凍室冷却器１４２で冷却された空気（冷気）を製氷室１２３、小冷凍室１２４、および主冷凍室１２５で循環させる冷凍室用ファン１４４とを含む。
【００２０】
例えば、冷蔵室１２１の内部には、冷蔵室用冷却器１４１を通過して冷却された冷気を案内するダクト１１６が設けられている。ダクト１１６は、断熱筐体１１０の後壁１１５に沿って略鉛直方向に延びており、ダクト１１６と後壁１１５との間に冷蔵室用冷却器１４１により冷却された冷気が流れる流路を形成している。ダクト１１６は、上記流路を流れる冷気を冷蔵室１２１内の複数の高さ領域に供給する複数の冷気吹出口１１６ａを有する。上記流路を流れた冷気は、冷気吹出口１１６ａから冷蔵室１２１内に吹き出される。複数の冷気吹出口１１６ａは、冷蔵室１２１内で複数の高さに分かれて配置されている。
【００２１】
圧縮機１４５は、例えば、冷蔵庫１の底部の機械室に設けられている。圧縮機１４５は、貯蔵室１２０の冷却に用いられる冷媒ガスを圧縮する。圧縮機１４５により圧縮された冷媒ガスは、放熱パイプなどを経由して、冷蔵室用冷却器１４１および冷凍室用冷却器１４２に送られる。
【００２２】
次に、図２に戻り、冷蔵庫本体１００の残りの構成について説明する。
表示装置１５０は、例えば、冷蔵室扉１３１Ｂの前面に設けられている。表示装置１５０は、液晶ディスプレイや有機ＥＬディスプレイなどであり、画像や文字を表示可能な表示画面（表示領域）Ｄ２を有する。
【００２３】
操作部１６０は、例えば、タッチパネル式の入力装置であり、表示装置１５０の表示画面Ｄ２に対して重ねて設けられている。ユーザは、操作部１６０を操作することで、冷蔵庫本体１００に対して所定の入力や選択を行うことができる。なお、操作部１６０は、タッチパネル式の入力装置に限定されず、冷蔵庫本体１００に設けられたボタンなどでもよい。
【００２４】
無線通信部１７０は、高周波回路およびアンテナなどを含み、無線によりネットワークＮＷと接続可能である。例えば、無線通信部１７０は、冷蔵庫１が設置された家庭に設けられたアクセスポイントを介してネットワークＮＷに接続される。
【００２５】
電源回路部１８０は、例えば、１つ以上の電源回路基板によって実現され、冷蔵庫本体１００の上端部に配置されている。電源回路部１８０は、冷蔵庫本体１００の電源ケーブル１８５および家庭内のコンセントなどを介して、商用電源Ｐに電気的に接続される。電源回路部１８０には、通常時（非災害時）において、商用電源Ｐから交流電力が供給される。商用電源Ｐは、「外部電源」の一例である。
【００２６】
図４は、冷蔵庫１の電力線の接続関係を示すブロック図である。電源回路部１８０は、商用電源Ｐから供給される交流電力を、冷蔵庫１に含まれる個々の機器に適した電圧の直流電力に変換し、変換した直流電力を上記個々の機器に供給する。例えば、電源回路部１８０は、変換することで得られた直流電力を冷却ユニット１４０、表示装置１５０、および操作部１６０などに供給する。
【００２７】
加速度センサＡＳは、断熱筐体１１０または扉１３０に設けられている。加速度センサＡＳは、地震発生時に大きな加速度を検出する。加速度センサＡＳの検出結果は、制御部１９０に出力される。加速度センサＡＳは、「センサ」の一例である。
【００２８】
制御部１９０は、例えば、１つ以上の制御基板によって実現され、冷蔵庫本体１００の上端部に配置されている。なお、電源回路部１８０と制御部１９０とは、１つの基板によって実現されてもよい。制御部１９０は、冷蔵庫１の全体を制御する。例えば、制御部１９０は、冷却ユニット１４０、表示装置１５０、操作部１６０、無線通信部１７０、電源回路部１８０、および防災ユニット収容部２００の動作を統括的に制御する。なお、制御部１９０の機能については、詳しく後述する。
【００２９】
［４．防災ユニット収容部の構成］
次に、防災ユニット収容部２００の構成について説明する。
図３に示すように、防災ユニット収容部２００は、断熱筐体１１０の内部に設けられている。例えば、防災ユニット収容部２００は、断熱筐体１１０の内部の最上部に設けられている。すなわち、防災ユニット収容部２００は、複数の貯蔵室１２０のなかで最上段の貯蔵室（例えば冷蔵室１２１）と、断熱筐体１１０の天井壁１１１との間に設けられている。本実施形態の防災ユニット収容部２００は、「第１収容部」の一例である。
【００３０】
防災ユニット収容部２００の内部には、災害の発生時に役立つ装置や用品などが収容される収容室（収容空間）Ｓが形成されている。収容室Ｓは、冷気吹出口１１６ａが存在せず、冷気が供給されない空間である。本明細書において「冷気が供給されない」とは、冷気が積極的（意図的）には供給されないことを意味し、後述する防災ユニット収容部２００の開口２００ａと前面カバー２２０との間の隙間などを通じて意図しない冷気が流入する場合は含む。
【００３１】
［４．１  防災ユニット収容部２００の外郭構成］
防災ユニット収容部２００は、この防災ユニット収容部２００の収容室Ｓを断熱筐体１１０の内部で区画する構成として、例えば、仕切り壁２１０と、前面カバー２２０とを有する。
【００３２】
ここでは先に、前面カバー２２０について説明する。
防災ユニット収容部２００は、冷蔵庫１の前方に向けて開口した開口２００ａを有する。収容室Ｓは、開口２００ａを通じて防災ユニット収容部２００の外部に露出する。ユーザは、開口２００ａを通じて収容室Ｓに対して物を出し入れすることができる。本実施形態では、開口２００ａは、冷蔵室扉１３１Ａ，１３１Ｂの上端部の背後に位置し、冷蔵室扉１３１Ａ，１３１Ｂに面している。
【００３３】
前面カバー２２０は、防災ユニット収容部２００の開口２００ａの前方に位置する。前面カバー２２０は、例えばヒンジｈｇ（図８参照）により軸支され、防災ユニット収容部２００の開口２００ａを開閉可能に閉じている。
【００３４】
前面カバー２２０は、例えば透明な部材で形成されてもよい。この場合、後述する予備電源装置３００の表示画面Ｄ４は、前面カバー２２０を通して視認可能になる。また、前面カバー２２０の少なくとも一部は、透明または半透明な部材で形成されるとともに、前面カバー２２０の背後に設けられた表示装置ＢＤによって表示領域Ｄ３が形成されてもよい（図８参照）。この場合、表示領域Ｄ３には、前面カバー２２０の背後に設けられた表示装置ＢＤから前面カバー２２０に投射された文字や図形が表示される。
【００３５】
次に、仕切り壁２１０について説明する。
仕切り壁２１０は、断熱筐体１１０の内部に設けられている。仕切り壁２１０は、複数の貯蔵室１２０のなかで最上段の貯蔵室（例えば冷蔵室１２１）と防災ユニット収容部２００の収容室Ｓとの間に設けられている。別の観点で見ると、仕切り壁２１０は、複数の冷気吹出口１１６ａのなかで最上方の冷気吹出口１１６ａよりも上方に設けられ、最上方の冷気吹出口１１６ａと断熱筐体１１０の天井壁１１１との間の高さ位置に配置されている。
【００３６】
仕切り壁２１０は、冷蔵庫１の横幅方向および冷蔵庫１の前後方向において略水平方向に広がっている。仕切り壁２１０は、冷蔵庫１の横幅方向において断熱筐体１１０の略全幅に亘って設けられ、左側壁１１３と右側壁１１４とにそれぞれ接続されている。これにより、断熱筐体１１０の内部において、最上段の貯蔵室１２０（例えば冷蔵室１２１）と、断熱筐体１１０の天井壁１１１との間に、防災ユニット収容部２００の収容室Ｓが区画されている。言い換えると、仕切り壁２１０は、防災ユニット収容部２００の底壁を形成している。なお、仕切り壁２１０は、断熱筐体１１０と一体に設けられてもよく、断熱筐体１１０とは別体に設けられてもよい。
【００３７】
本実施形態では、仕切り壁２１０は、断熱筐体１１０と一体に設けられている。仕切り壁２１０は、例えば、内箱上方部２１０ａと、内箱下方部２１０ｂと、内箱上方部２１０ａと内箱下方部２１０ｂとの間に充填された断熱材２１０ｃとを有し、断熱性を持つ。断熱材２１０ｃは、例えば、発泡ウレタンのような発泡断熱材である。
【００３８】
本実施形態では、仕切り壁２１０の厚さ（例えば最小厚さ）は、断熱筐体１１０の天井壁１１１の厚さ（例えば最小厚さ）よりも厚い。例えば、仕切り壁２１０の断熱材２１０ｃの厚さ（例えば最小厚さ）は、断熱筐体１１０の天井壁１１１の断熱材１１０ｃの厚さ（例えば最小厚さ）よりも厚い。
【００３９】
図５は、図３中に示された冷蔵庫１のＦ５−Ｆ５線に沿う断面図である。仕切り壁２１０は、例えば、真空断熱材（ＶＩＰ：Vacuum Insulation Panel）２１１ａを含む。真空断熱材２１１ａは、仕切り壁２１０の下面と略平行な板状に形成され、内箱下方部２１０ｂと断熱材２１０ｃと間に配置されている。真空断熱材２１１ａが設けられると、貯蔵室１２０内を循環する冷気が防災ユニット収容部２００の温度によって暖められにくい。例えば、真空断熱材２１１ａが設けられると、後述する防災ユニット収容部２００の予備電源装置３００が発熱する場合に、予備電源装置３００の熱が貯蔵室１２０内の冷気に伝わることを抑制することができる。ただし、仕切り壁２１０の全部または一部は、断熱性を必ず有する必要はなく、断熱性を有しない素材で形成されてもよい。
【００４０】
また、仕切り壁２１０は、補強部材２１１ｂを有してもよい。補強部材２１１ｂは、例えば、内箱上方部２１０ａや内箱下方部２１０ｂ、断熱材２１０ｃよりも剛性が高い部材であり、例えば金属部材である。補強部材２１１ｂは、例えば、仕切り壁２１０の上面と略平行に設けられ、内箱上方部２１０ａと断熱材２１０ｃとの間に配置されている。補強部材２１１ｂは、左側壁１１３の少なくとも一部の上方と、右側壁１１４の少なくとも一部の上方とに亘る。補強部材２１１ｂが設けられると、防災ユニット収容部２００の荷重を左側壁１１３と右側壁１１４とによって支持しやすくなる。ただし、補強部材２１１ｂは、必須の構成要素ではなく、十分な剛性が確保される場合は無くてもよい。
【００４１】
次に、防災ユニット収容部２００の収容室Ｓに配置される部材について説明する。本実施形態では、収容室Ｓは、予備電源装置３００が収容される予備電源収容室（予備電源収容空間）ＰＳと、防災用品７００が収容される防災用品収容室（防災用品収容空間）ＧＳとを含む。予備電源収容室ＰＳと防災用品収容室ＧＳとの間には、仕切り壁２１７が設けられている。予備電源収容室ＰＳと防災用品収容室ＧＳとは、仕切り壁２１７によって互いに仕切られている。仕切り壁２１７は、例えば、合成樹脂製であり、電気絶縁性を有する。これにより、例えば地震の揺れにより万が一に予備電源装置３００が破損した場合であっても、防災用品収容室ＧＳの内部の電気的な安全性がより確実に確保されている。
【００４２】
［４．２  予備電源収容室および予備電源装置］
予備電源収容室ＰＳには、予備電源装置３００、緩衝部材２４０、支持面形成部材２５０、液漏れ受け部２６０、および予備電源固定部２７０が設けられている。
【００４３】
［４．２．１  予備電源装置の全体構成］
次に、予備電源装置３００について説明する。
予備電源装置３００は、停電時（災害の発生時）に、商用電源Ｐの代わりに電力を供給する装置である。予備電源装置３００は、冷蔵庫本体１００と電気的に接続されている。例えば、予備電源装置３００は、冷蔵庫本体１００内の電力線４０４（図４参照）、および冷蔵庫本体１００の電源ケーブル１８５などを介して商用電源Ｐと電気的に接続されている。
【００４４】
予備電源装置３００は、通常時には、商用電源Ｐから冷蔵庫本体１００に供給される電力の一部を用いて充電可能である。「商用電源Ｐから冷蔵庫本体１００に供給される電力」とは、例えば、冷蔵庫本体１００の電源ケーブル１８５を介して商用電源Ｐから冷蔵庫本体１００の内部に導かれる電力を広く意味する。「商用電源Ｐから冷蔵庫本体１００に供給される電力の一部を用いて充電可能」とは、商用電源Ｐから冷蔵庫本体１００に供給された電力が冷蔵庫本体１００で何も変換されずに予備電源装置３００に供給される（例えば交流電力のまま供給される）ことで予備電源装置３００が充電可能である場合と、商用電源Ｐから冷蔵庫本体１００に供給された電力が冷蔵庫本体１００で所望の電力（例えば直流電力）に変換されて予備電源装置３００に供給されることで予備電源装置３００が充電可能である場合とのいずれの場合も含む。言い換えると、予備電源装置３００は、冷蔵庫本体１００の電源回路部１８０を介さずに商用電源Ｐと電気的に接続されてもよく、冷蔵庫本体１００の電源回路部１８０を介して商用電源Ｐと電気的に接続されてもよい。
【００４５】
また本明細書において「冷蔵庫本体１００を介して商用電源Ｐから電力が供給されて充電可能」および「冷蔵庫本体１００から電力が供給されて充電可能」とは、上述した「商用電源Ｐから冷蔵庫本体１００に供給される電力の一部を用いて充電可能」と同じ意味で用いられている。すなわち、これら表現は互いに読み替え可能である。
【００４６】
本実施形態では、予備電源装置３００の少なくとも一部は、ポータブル電源として冷蔵庫本体１００から分離して使用可能である。本明細書において「冷蔵庫本体１００から分離して使用可能」および「冷蔵庫本体１００から分離可能」とは、断熱筐体１１０から分離して冷蔵庫本体１００の設置場所とは異なる場所に持ち運んで使用可能であることを意味する。また「ポータブル電源」とは、持ち運び可能な電源を広く意味し、比較的小型のモバイルバッテリーなども含む。
【００４７】
ここで、予備電源装置３００の一例について詳しく説明する。予備電源装置３００は、例えば、予備電源装置本体３００Ｕ、本体コネクタ３３０、電源回路部３５０、予備電源全体制御部３６０、および記憶部３７０（図１０参照）を有する。
【００４８】
図６は、予備電源装置本体３００Ｕを示す斜視図である。本実施形態では、予備電源装置本体３００Ｕは、第１予備電源装置３１０と、第２予備電源装置３２０とを含む。
【００４９】
［４．２．２  第１予備電源装置］
まず、第１予備電源装置３１０の構成について説明する。
第１予備電源装置３１０は、停電時に冷蔵庫本体１００に電力を供給する予備電源装置である。すなわち、第１予備電源装置３１０は、停電時に冷蔵庫本体１００と一体に残され（防災ユニット収容部２００の収容室Ｓに残され）、圧縮機１４５や冷却ユニット１４０を駆動するための電力など冷蔵庫１の冷却機能の維持に必要な電力を冷蔵庫本体１００に供給する。
【００５０】
詳しく述べると、第１予備電源装置３１０は、例えば、第１予備電源ケース３１１、バッテリユニット３１２、第１端子部３１３、第２端子部３１４、電圧センサＶＳ１（図４参照）、および電流センサＩＳ１（図４参照）を有する。
【００５１】
第１予備電源ケース３１１は、例えば箱状に形成されている。第１予備電源ケース３１１は、第１端部３１１ａと、第２端部３１１ｂとを有する。第１端部３１１ａは、後述する本体コネクタ３３０に面する端部である。第２端部３１１ｂは、第１端部３１１ａとは反対側に位置し、第２予備電源装置３２０に面する端部である。
【００５２】
バッテリユニット３１２は、第１予備電源ケース３１１の内部に収容されている。バッテリユニット３１２は、１つ以上の二次電池を含む。二次電池は、例えばリチウムイオン二次電池であるが、その他の種類の二次電池でもよく、その種類は特に問わない。これは、第２予備電源装置３２０についても同様である。例えば、第１予備電源装置３１０のバッテリユニット３１２の容量は、第２予備電源装置３２０のバッテリユニット３２２の容量よりも大きい。例えば、第１予備電源装置３１０のバッテリユニット３１２の容量は、冷蔵庫本体１００の冷却機能を停電後の数日間に亘り維持可能な容量である。
【００５３】
第１端子部３１３は、第１予備電源ケース３１１の第１端部３１１ａに設けられている。第１端子部３１３は、第１予備電源装置３１０と本体コネクタ３３０とを接続するための端子部である。第１予備電源装置３１０は、本体コネクタ３３０と接続されることで、本体コネクタ３３０および電源回路部３５０を介して冷蔵庫本体１００と電気的に接続される。これにより、第１予備電源装置３１０のバッテリユニット３１２は、冷蔵庫本体１００から電力が供給されて充電可能である。
【００５４】
第２端子部３１４は、第１予備電源ケース３１１の第２端部３１１ｂに設けられている。第２端子部３１４は、第１予備電源装置３１０と第２予備電源装置３２０とを接続するための端子部である。端子部３１４は、例えば、電力を供給するための電流が流れる電力用端子ＰＴと、信号が流れる信号用端子ＳＴとを含み、電力および信号を送受可能である。上述した第１端子３１３および以下に説明する端子部３１６，３２３，３３１，８０３も、それぞれ電力用端子ＰＴおよび信号用端子ＳＴを端子部１１７と同様に有し、電力および信号を送受可能である。
【００５５】
電圧センサＶＳ１は、バッテリユニット３１２の端子電圧の電圧値を検出する。電流センサＩＳ１は、バッテリユニット３１２に充電される、またはバッテリユニット３１２から放電される電流の電流値を検出する。電圧センサＶＳ１および電流センサＩＳ１の検出結果は、例えば第１端子部３１３および本体コネクタ３３０を介して予備電源全体制御部３６０に出力される。
【００５６】
［４．２．３  第２予備電源装置］
次に、第２予備電源装置３２０の構成について説明する。
第２予備電源装置３２０は、停電時や避難が必要な災害時に、ポータブル電源として冷蔵庫本体１００から分離され、所望の場所に持ち運ばれて利用することができる予備電源装置である。すなわち、第２予備電源装置３２０は、防災ユニット収容部２００の収容室Ｓの外部に取り出され、リビングや寝室、避難所などに持ち運ばれた状態で予備電源装置として利用可能である。第２予備電源装置３２０は、例えば、ユーザが所有する各種の電子機器（スマートフォンやタブレット端末、ノート型パソコン、ラジオ、携帯テレビなど）の充電などに利用される。
【００５７】
なお、第２予備電源装置３２０は、冷蔵庫本体１００から分離して使用されない場合、第１予備電源装置３１０とともに冷蔵庫本体１００に電力を供給可能である。すなわち、第２予備電源装置３２０は、例えば、停電時の冷蔵庫本体１００の運転継続可能時間を長くしたい場合、第１予備電源装置３１０とともに冷蔵庫本体１００と一体に残される（防災ユニット収容部２００の収容室Ｓに残される）ことで、第１予備電源装置３１０とともに冷蔵庫１の冷却機能の維持に必要な電力を冷蔵庫本体１００に供給可能である。
【００５８】
詳しく述べると、第２予備電源装置３２０は、例えば、第２予備電源ケース３２１、バッテリユニット３２２、端子部３２３、取っ手３２４、表示装置３２５、複数のコネクタ３２６、電源回路部３２７、電圧センサＶＳ２（図４参照）、電流センサＩＳ２（図４参照）、および第２予備電源制御部３２８を有する。
【００５９】
第２予備電源ケース３２１は、例えば箱状に形成されている。第２予備電源ケース３２１は、第１端部３２１ａと、第２端部３２１ｂとを有する。第１端部３２１ａは、第１予備電源装置３１０に面する端部である。第２端部３２１ｂは、第１端部３２１ａとは反対側に位置し、冷蔵庫１の前方に向けて配置される端部である。第２予備電源ケース３２１の内部には、バッテリユニット３２２が収容されている。バッテリリユニット３２２は、１つ以上の二次電池を含む。
【００６０】
端子部３２３は、第２予備電源ケース３２１の第１端部３２１ａに設けられている。端子部３２３は、第１予備電源装置３１０と第２予備電源装置３２０とを接続するための端子部であり、第１予備電源装置３１０の第２端子部３１４と着脱可能に接続される。第２予備電源装置３２０は、第１予備電源装置３１０と接続されることで、第１予備電源装置３１０、本体コネクタ３３０、および電源回路部３５０を介して冷蔵庫本体１００に電気的に接続される。これにより、第２予備電源装置３２０のバッテリユニット３２２は、冷蔵庫本体１００から電力が供給されて充電可能になる。第２予備電源装置３２０のバッテリユニット３２２は、例えば、第１予備電源装置３１０のバッテリユニット３１２に対して電気的に並列に接続される。これに代えて、第２予備電源装置３２０のバッテリユニット３２２は、第１予備電源装置３１０のバッテリユニット３１２に対して電気的に直列に接続されてもよい。
【００６１】
取っ手３２４は、第２予備電源ケース３２１の第２端部３２１ｂに設けられている。取っ手３２４は、第２予備電源装置３２０を防災ユニット収容部２００の収容室Ｓの内部から取り出す場合や、第２予備電源装置３２０を持ち運ぶ場合に、ユーザが手を掛ける部分である。取っ手３２４は、第２予備電源装置３２０が防災ユニット収容部２００の収容室Ｓに収容された状態で、防災ユニット収容部２００の開口２００ａに対して予備電源装置本体３００Ｕのなかで最も近くに位置する。取っ手３２４は、防災ユニット収容部２００の前面カバー２２０が開かれた場合、防災ユニット収容部２００の開口２００ａを通じて、冷蔵庫１の前方に向けて防災ユニット収容部２００の外部に露出される。
【００６２】
表示装置３２５は、第２予備電源ケース３２１の第２端部３２１ｂに設けられている。表示装置３２５は、液晶ディスプレイや有機ＥＬディスプレイなどであり、画像や文字を表示可能な表示画面（表示領域）Ｄ４を有する。なお、表示装置３２５は、異常の有無や充電の要否を色や点滅状態で示すＬＥＤ素子などでもよい。
【００６３】
複数のコネクタ（電力供給部）３２６は、第２予備電源ケース３２１の第２端部３２１ｂに設けられている。複数のコネクタ３２６は、電力を必要とする各種機器が接続される接続部である。コネクタ３２６に接続された機器には、第２予備電源装置３２０のバッテリユニット３２２から電力が供給される。複数のコネクタ３２６は、例えば、ＵＳＢ（Universal Serial Bus）ポート、各種規格に対応したコンセント、およびシガーライターなどを含む。ただし、コネクタ３２６は、上記例に限定されず、ｍｉｃｒｏＵＳＢや他の形式に対応したコネクタなどでもよい。
【００６４】
第２予備電源装置３２０の電源回路部３２７は、例えば１つ以上の電源回路基板によって実現され、第２予備電源ケース３２１の内部に収容されている。電源回路部３２７は、バッテリユニット３２２から出力される電力を所望の電圧の電力に変換して各コネクタ３２６に供給する。電源回路部３２７は、１つ以上のコネクタ３２６が交流電力に対応する場合、ＤＣ−ＡＣコンバータを含む。
【００６５】
電圧センサＶＳ２は、バッテリユニット３２２の端子電圧の電圧値を検出する。電流センサＩＳ２は、バッテリユニット３２２に充電される、またはバッテリユニット３２２から放電される電流の電流値を検出する。電圧センサＶＳ２および電流センサＩＳ２の検出結果は、第２予備電源制御部３２８に出力される。また、電圧センサＶＳ２および電流センサＩＳ２の検出結果は、例えば端子部３２３，３１３，３１４および本体コネクタ３３０を介して予備電源全体制御部３６０に出力される。
【００６６】
第２予備電源制御部３２８は、例えば、１つ以上の制御基板により実現され、第２予備電源ケース３２１の内部に収容されている。なお、電源回路部３２７と第２予備電源制御部３２８とは、１つの基板によって実現されてもよい。第２予備電源制御部３２８は、第２予備電源装置３２０の全体を制御する。例えば、第２予備電源制御部３２８は、バッテリユニット３２２、表示装置３２５、および電源回路部３２７の動作を制御する。
【００６７】
第２予備電源制御部３２８は、例えば、端子部３２３，３１３，３１４、および本体コネクタ３３０を介して予備電源全体制御部３６０と通信可能である。また、第２予備電源制御部３２８は、例えば、端子部３２３，３１３，３１４、および本体コネクタ３３０を介して、冷蔵庫本体１００の制御部１９０と通信可能である。ただし、第２予備電源制御部３２８は、上記に代えて、Ｂｌｕｅｔｏｏｔｈ（登録商標）または別方式の無線通信により予備電源全体制御部３６０および冷蔵庫本体１００の制御部１９０と通信可能であってもよい。なお、第２予備電源制御部３２８の機能については、詳しく後述する。
【００６８】
ここで、冷蔵庫本体１００において、左右の冷蔵庫扉１３１Ａ，１３１Ｂの幅ＷＡ，ＷＢが異なり、左右の冷蔵庫扉１３１Ａ，１３１Ｂの境界は、冷蔵庫本体１００の横幅方向の中心に対して左側に偏って位置する。その結果、左右の冷蔵庫扉１３１Ａ，１３１Ｂが閉じられた時に防災ユニット収容部２００に加わる衝撃は、防災ユニット収容部２００のなかで右側寄り領域よりも左側寄り領域に伝わりやすい。そこで本実施形態では、第２予備電源装置３２０の電源回路部３２７および第２予備電源制御部３２８は、第２予備電源ケース３２１のなかで、第２予備電源ケース３２１の中心に対して右側に偏って配置されている。これにより、冷蔵庫扉１３１Ａ，１３１Ｂが閉じられる時に防災ユニット収容部２００に加わる衝撃は、電源回路部３２７および第２予備電源制御部３２８には伝わりにくい。
【００６９】
［４．２．４  第１予備電源装置および第２予備電源装置の配置］
図７は、図５に示された防災ユニット収容部２００のＦ７―Ｆ７線に沿う断面図である。図８は、図５に示された防災ユニット収容部２００のＦ８―Ｆ８線に沿う断面図である。
【００７０】
本実施形態では、第２予備電源装置３２０は、防災ユニット収容部２００の収容室Ｓの内部で第１予備電源装置３１０の前方に配置され、第１予備電源装置３１０と比べて防災ユニット収容部２００の開口２００ａの近くに位置する。第２予備電源装置３２０は、第１予備電源装置３１０とは干渉せずに収容室Ｓの内部から収容室Ｓの前方に向けて（すなわち、冷蔵庫１の前方に向けて）取り外し可能である。
【００７１】
別の観点で見ると、第１予備電源装置３１０は、第２予備電源装置３２０よりも大きく、第２予備電源装置３２０よりも重い。第１予備電源装置３１０は、防災ユニット収容部２００の収容室Ｓの内部で第２予備電源装置３２０よりも後方に配置されている。これにより、予備電源装置本体３００Ｕの重心が後方側に位置しやすくなる。
【００７２】
本実施形態では、第１予備電源装置３１０と第２予備電源装置３２０とは、互いに略同じ高さに配置され、冷蔵庫１の前後方向に並べて配置されている。これにより、第１予備電源装置３１０と第２予備電源装置３２０とうちいずれか一方が高い位置に配置される場合と比べて、予備電源装置本体３００Ｕの重心位置を低くすることができる。なお、第１予備電源装置３１０と第２予備電源装置３２０とが上下に配置される場合は、第１予備電源装置３１０は、防災ユニット収容部２００の収容室Ｓの内部で第２予備電源装置３２０よりも下方に配置される。これにより、予備電源装置本体３００Ｕの重心位置を低くすることができる。
【００７３】
［４．２．５  予備電源装置のその他の構成］
次に、本体コネクタ３３０について説明する。
本体コネクタ３３０は、例えば、予備電源収容室ＰＳの後端部に設けられ、冷蔵庫１の前後方向で予備電源装置本体３００Ｕに面する。本体コネクタ３３０は、第１予備電源装置３１０の第１端子部３１３と着脱可能に接続される端子部３３１を有する。第１予備電源装置３１０の第１端子部３１３は、第１予備電源装置３１０が本体コネクタ３３０に向けて押されることで、本体コネクタ３３０の端子部３３１と接続される。本体コネクタ３３０は、予備電源装置３００の電源回路部３５０と電気的に接続されている。本体コネクタ３３０は、「コネクタ」の一例である。
【００７４】
次に、電源回路部３５０について説明する。
電源回路部３５０は、例えば、１つ以上の電源回路基板によって実現され、予備電源収容室ＰＳに配置されている。電源回路部３５０には、冷蔵庫本体１００から電力が供給される。電源回路部３５０は、冷蔵庫本体１００から供給される電力を予備電源装置３００のバッテリユニット３１２，３２２に適した電圧の直流電力に変換し、変換した直流電力をバッテリユニット３１２，３２２に供給する。これにより、バッテリユニット３１２，３２２が充電される。なお、電源回路部３５０の機能は、冷蔵庫本体１００の電源回路部１８０の一部として設けられてもよい。この場合、予備電源装置３００の電源回路部３５０は、省略されてもよい。
【００７５】
次に、予備電源全体制御部３６０について説明する。
予備電源全体制御部３６０は、例えば、１つ以上の制御基板によって実現され、予備電源収容室ＰＳに配置されている。なお、電源回路部３５０と予備電源全体制御部３６０とは、１つの基板によって実現されてもよい。予備電源全体制御部３６０は、予備電源装置３００の全体を制御する。例えば、予備電源全体制御部３６０は、電源回路部３５０の動作を制御する。予備電源全体制御部３６０は、例えば、冷蔵庫本体１００の制御部１９０との間に設けられた通信線を介して制御部１９０と通信可能である。上記に代えて、予備電源全体制御部３６０は、Ｂｌｕｅｔｏｏｔｈまたは別方式の無線通信により冷蔵庫本体１００の制御部１９０と通信可能であってもよい。なお、予備電源全体制御部３６０の機能については、詳しく後述する。
【００７６】
電源回路部３５０および予備電源全体制御部３６０は、収容室Ｓのなかで、収容室Ｓの中心に対して右側に偏って配置されている。これにより、冷蔵庫扉１３１Ａ，１３１Ｂが閉じる時に防災ユニット収容部２００に加わる衝撃は、電源回路部３５０および予備電源全体制御部３６０に伝わりにくい。
【００７７】
記憶部３７０は、例えば、ＥＥＰＲＯＭ（Electrically Erasable Programmable Read-Only Memory）またはＲＯＭ（read-only memory）により構成されている。なお、記憶部３７０に記憶される情報については、詳しく後述する。
【００７８】
［４．２．６  予備電源装置および防災ユニットの重心位置］
次に、図３を参照し、予備電源装置３００の重心位置Ｇ３について説明する。予備電源装置３００の重心位置Ｇ３は、冷蔵庫本体１００の複数の扉１３０の全てが全開位置にある状態で、冷蔵庫本体１００の重心位置Ｇ１よりも後方に位置する。このような構成によれば、地震により冷蔵庫１が揺れた場合でも、防災ユニット収容部２００が設けられた冷蔵庫１が前方に転倒しにくくなる。
【００７９】
本実施形態では、予備電源装置３００の重心位置Ｇ３は、冷蔵庫本体１００の複数の扉１０３の全てが全閉位置にある状態でも、冷蔵庫本体１００の重心位置Ｇ１よりも後方に位置する。このような構成によれば、地震により冷蔵庫１が揺れた場合でも、冷蔵庫１の安定性が増し、冷蔵庫１が前方に転倒しにくくなる。
【００８０】
別観点で見ると、図７に示すように、予備電源装置３００の前後方向の寸法上の中心位置（例えば、予備電源装置本体３００Ｕの前後方向の寸法上の中心位置）Ｃ３は、冷蔵庫本体１００の前後方向の寸法上の中心位置Ｃ１よりも後方に位置する。また異なる別観点で見ると、予備電源装置３００の後端（例えば予備電源装置本体３００Ｕの後端）と、冷蔵庫本体１００の後端との間の前後方向の距離Ｌ３ａは、予備電源装置３００の前端（例えば予備電源装置本体３００Ｕの前端）と、冷蔵庫本体１００の前端との間の前後方向の距離Ｌ３ｂよりも小さい。
【００８１】
図９は、水平面に対して前方に所定角度α（例えば８度）だけ傾いた冷蔵庫１を示す側面図である。予備電源装置３００の重心位置Ｇ３は、冷蔵庫本体１００の複数の扉１３０の全てが全開位置にあり、且つ、冷蔵庫１が前方に所定角度α（例えば８度）だけ傾いた状態で、冷蔵庫本体１００の重心位置Ｇ１よりも後方に位置する。このような構成によれば、地震により冷蔵庫１が比較的大きく揺れた場合でも、冷蔵庫１が前方に転倒しにくくなる。
【００８２】
本実施形態では、予備電源装置３００の重心位置Ｇ３は、冷蔵庫本体１００の複数の扉１３０の全てが全閉位置にあり、且つ、冷蔵庫１が前方に所定角度α（例えば８度）だけ傾いた状態でも、冷蔵庫本体１００の重心位置Ｇ１よりも後方に位置する。このような構成によれば、冷蔵庫１の安定性が増し、冷蔵庫１が前方に転倒しにくくなる。
【００８３】
また別の観点では、予備電源装置３００の重心位置Ｇ３は、冷蔵庫１が前方に所定角度α（例えば８度）だけ傾いた状態でも、冷蔵庫本体１００の前脚部１１８よりも後方に位置する。このような構成によれば、防災ユニット収容部２００の重量は、冷蔵庫１の傾きを元に戻す方向に作用する。これにより、冷蔵庫１が前方に転倒しにくくなる。
【００８４】
次に、防災ユニット収容部２００の残りの構成について説明する。
［４．３  緩衝部材および支持表面形成部材］
図５を参照し、緩衝部材２４０および支持面形成部材２５０について説明する。
本実施形態では、防災ユニット収容部２００の仕切り壁２１０と予備電源装置３００との間には、緩衝部材２４０と支持面形成部材２５０とが設けられている。
【００８５】
緩衝部材２４０は、防災ユニット収容部２００の仕切り壁２１０と予備電源装置本体３００Ｕとの間に配置されている。緩衝部材２４０は、ゴムまたはばねのような弾性体で形成され、弾性変形可能である。予備電源装置本体３００Ｕは、緩衝部材２４０を介して仕切り壁２１０に支持されている。緩衝部材２４０が設けられることで、冷蔵庫本体１００の振動（例えば冷蔵庫本体１００の圧縮機１４５の振動）が予備電源装置本体３００Ｕに伝わることが抑制される。
【００８６】
本実施形態では、緩衝部材２４０は、予備電源装置３００の左右の端部に対応して一対設けられ、予備電源装置３００の左右の端部を支持する一対の支持部を形成している。一対の緩衝部材２４０は、冷蔵庫１の横幅方向において互いに離間している。一対の緩衝部材２４０は、空間が設けられている。これにより、予備電源装置３００と仕切り壁２１０との間には、予備電源装置３００の経年劣化時の膨張（後述するバッテリユニット３１２，３２２の膨張）を許容する隙間Ｓ１が形成されている。
【００８７】
支持面形成部材２５０は、緩衝部材２４０と予備電源装置本体３００Ｕとの間に配置されている。支持面形成部材２５０は、緩衝部材２４０と比べて摩擦係数が小さい部材で形成されている。支持面形成部材２５０は、例えば金属板であり、緩衝部材２４０の上面の全面に貼り付けられている。予備電源装置本体３００Ｕ（第１および第２の予備電源装置３１０，３２０）は、支持面形成部材２５０の上を略水平方向に滑らせることで収容室Ｓ内への挿入や収容室Ｓの外部への取り出しが行われる。これにより、災害の発生時における第２予備電源装置３２０の取り出しや、経年劣化による交換時における第１予備電源装置３１０の取り出しをスムーズに行うことができる。
【００８８】
［４．４  液漏れ受け部］
次に、図７を参照し、液漏れ受け部２６０について説明する。
本実施形態では、予備電源装置３００の下方に液漏れ受け部２６０が設けられている。液漏れ受け部２６０は、例えば、予備電源収容室ＰＳにおいて予備電源装置本体３００Ｕの下方に配置されている。液漏れ受け部２６０は、地震の揺れなどに起因してバッテリユニット３１２，３２２が万が一に破損して液体が漏れる場合に、その液体を受けて貯留する。本実施形態では、液漏れ受け部２６０は、予備電源装置３００を支持する一対の緩衝部材２４０の間に設けられている。液漏れ受け部２６０は、例えばオイルパンであるが、これに限定されない。例えば、液漏れ受け部２６０は、収容室Ｓの前端部に設けられて、漏れた液体が防災ユニット収容部２００の開口２００ａから防災ユニット収容部２００の外部に流出することを防止するリブ２６５（図８参照）などでもよい。
【００８９】
［４．５  予備電源固定部］
次に、図７を参照し、予備電源固定部２７０について説明する。
本実施形態では、予備電源装置３００を固定するために予備電源固定部２７０が設けられている。予備電源固定部２７０は、例えば、第１予備電源装置３１０を固定する一対の第１電源固定部２７１と、第２予備電源装置３２０を固定する一対の第２電源固定部２７２とを含む。
【００９０】
一対の第１電源固定部２７１は、冷蔵庫１の横幅方向に沿って、互いに近付く方向と、互いに離れる方向とに移動可能である。一対の第１電源固定部２７１は、第１予備電源装置３１０が予備電源収容室ＰＳに収容された後に、互いに近付く方向に移動される。これにより、第１電源固定部２７１と本体コネクタ３３０との間に第１予備電源装置３１０が挟まり、第１予備電源装置３１０の位置が固定される。一対の第１電源固定部２７１は、不図示の解除ボタンが操作されることで、互いに離れる方向に移動される。これにより、第１予備電源装置３１０を取り外すことができる。
【００９１】
同様に、一対の第２電源固定部２７２は、冷蔵庫１の横幅方向に沿って、互いに近付く方向と、互いに離れる方向とに移動可能である。一対の第２電源固定部２７２は、第２予備電源装置３２０が予備電源収容室ＰＳに収容された後に、互いに近付く方向に移動される。これにより、第２電源固定部２７２と第１予備電源装置３１０との間に第２予備電源装置３２０が挟まり、第２予備電源装置３２０の位置が固定される。一対の第２電源固定部２７２は、不図示の解除ボタンが操作されることで、互いに離れる方向に移動される。これにより、第２予備電源装置３２０を取り外すことができる。
【００９２】
［４．６  防災商品収容室および防災用品］
次に、図７を参照し、防災用品収容室ＧＳについて説明する。
防災用品収容室ＧＳは、予備電源収容室ＰＳの左方に配置されている。これにより、予備電源収容室ＰＳは、収容室Ｓの横幅方向の中心に対して、右側（冷蔵庫本体１００の横幅方向の中心に対して左右の冷蔵室扉１３１Ａ，１３１Ｂの境界が偏る側とは反対側）に偏って配置されている。これにより、冷蔵庫扉１３１Ａ，１３１Ｂが閉じられた時に防災ユニット収容部２００に加わる衝撃が予備電源装置３００に伝わりにくい。
【００９３】
防災用品収容室ＧＳには、防災用品（防災グッズ）７００が収容される。防災用品７００は、例えば、飲料水のペットボトル、長期保存可能な食糧（乾パン、缶詰、レトルト食品、インスタント食品、飴やチョコレートなど）、給水用ポリタンク、カセットコンロ・ボンベ、携帯ラジオ、ヘルメット、防災ずきん、厚手の手袋、懐中電灯、万能ナイフ、マスク、ティッシュペーパー、ウェットティッシュ、簡易トイレ、救急用品セット、薬、携帯カイロ、ライター・マッチ、ロウソクなどであるが、これらに限らない。これらの一部または全部は、非常持ち出し品袋に入れられた状態で、防災用品収容室ＧＳに収容されている。
【００９４】
［５．制御部］
次に、冷蔵庫本体１００の制御部１９０、防災ユニット収容部２００の予備電源全体制御部３６０、および防災ユニット収容部２００の第２予備電源制御部３２８について説明する。本実施形態では、冷蔵庫本体１００の制御部１９０、予備電源全体制御部３６０、および第２予備電源制御部３２８を纏めて、冷蔵庫１の制御部５００と称する。
【００９５】
図１０は、冷蔵庫１の制御部５００の構成を示すブロック図である。ここで、以下に説明する各機能部の全部または一部は、ＣＰＵ（Central Processing Unit）またはＧＰＵ（Graphics Processing Unit）などのハードウェアプロセッサが記憶部に格納されたプログラム（ソフトウェア）を実行することにより実現される。ただし、これらの機能部のうち一部または全部は、ＡＳＩＣ（Application Specific Integrated Circuit）やＰＬＤ（Programmable Logic Device）、ＦＰＧＡ（Field Programmable Gate Array）などのハードウェア（回路部；circuitryを含む）によって実現されてもよいし、ソフトウェアとハードウェアとの協働によって実現されてもよい。
【００９６】
［５．１  冷蔵庫本体の制御部］
まず、冷蔵庫本体１００の制御部１９０について説明する。
冷蔵庫本体１００の制御部１９０は、例えば、災害検出部５１１、冷却ユニット制御部５１２、充放電制御部５１３、情報取得部５１４、情報生成部５１５、および表示制御部５１６を有する。ただし、これら機能部の一部は、冷蔵庫本体１００に代えて、予備電源全体制御部３６０または第２予備電源制御部３２８の一部として設けられてもよい。
【００９７】
災害検出部５１１は、ネットワークＮＷを介して受信する災害情報と、加速度センサＡＳの検出結果とのうち少なくとも一方に基づき、災害（例えば地震）の発生を検出する。災害検出部５１１は、災害の発生が検出された場合、災害の発生を示す所定の信号を予備電源全体制御部３６０および第２予備電源制御部３２８に送信する。また、災害検出部５１１は、ネットワークＮＷを介して受信する災害情報に基づいて災害（例えば大雨）の発生が迫っていることを検出し、災害の発生が迫っていることが検出された場合、上記所定の信号を予備電源全体制御部３６０および第２予備電源制御部３２８に送信する。以下では、説明の便宜上、「災害が実際に発生した場合」と「災害の発生が迫っている場合（災害が発生する可能性が高い場合）」とを纏めて「災害の発生」と称する。
【００９８】
冷却ユニット制御部５１２は、冷蔵室用ファン１４３、冷凍室用ファン１４４、および圧縮機１４５などの駆動を制御する。例えば、冷却ユニット制御部５１２は、災害検出部５１１により災害の発生が検出された場合、冷却ユニット１４０の消費電力を抑える低電力モードに移行する。
【００９９】
充放電制御部５１３は、通常時（非災害時）には、商用電源Ｐから冷蔵庫本体１００に供給される電力を用いて、予備電源装置３００のバッテリユニット３１２，３２２を充電状態に維持する。一方で、充放電制御部５１３は、停電時には、少なくとも第１予備電源装置３１０のバッテリユニット３１２を放電させ、放電させることで得られる電力を用いて冷却ユニット１４０を駆動させる。このとき、充放電制御部５１３は、冷蔵庫本体１００に第２予備電源装置３２０のバッテリユニット３２２からも電力を供給させる指示を示すユーザの操作が冷蔵庫本体１００の操作部１６０または端末装置２により受け付けられた場合、第１予備電源装置３１０のバッテリユニット３１２に加えて、第２予備電源装置３２０のバッテリユニット３２２も放電させ、放電させることで得られる電力を用いて冷却ユニット１４０を駆動させる。
【０１００】
また、充放電制御部５１３は、第２予備電源装置３２０がポータブル電源として使用されて残容量が低下した後に第１予備電源装置３１０と電気的に接続された場合、第１予備電源装置３１０のバッテリユニット３１２から放電される電力を用いて第２予備電源装置３２０のバッテリユニット３２２を充電してもよい。
【０１０１】
情報取得部５１４は、予備電源装置３００の異常の有無、予備電源装置３００のバッテリユニット３１２，３２２の劣化状態、および予備電源装置３００のバッテリユニット３１２，３２２の残容量を示す情報を、予備電源全体制御部３６０から取得する。例えば、情報取得部５１４は、通常時には、所定の周期（例えば１ヶ月に１回）で、上記情報を予備電源全体制御部３６０から取得する。一方で、情報取得部５１４は、災害検出部５１１により災害の発生が検出された場合、予備電源装置３００の異常の有無、および予備電源装置３００のバッテリユニット３１２，３２２の残容量を示す情報予備電源全体制御部３６０から取得する。
【０１０２】
情報生成部５１５は、情報取得部５１４により取得された情報に基づき、冷蔵庫本体１００の表示装置１５０の表示画面Ｄ２、端末装置２の表示装置２ａの表示画面Ｄ１、予備電源装置３００の表示装置３２５の表示画面Ｄ４、および防災ユニット収容部２００の前面カバー２２０の表示領域Ｄ３のうち少なくとも１つ（以下、「表示領域Ｄ」と称する）に表示させる情報を生成する。例えば、情報生成部５１５は、予備電源装置３１０，３２０の異常の有無を示す情報、予備電源装置３１０，３２０のバッテリユニット３１２，３２２の劣化状態に関する情報、および、予備電源装置３１０，３２０のバッテリユニット３１２，３２２の残容量に関する情報のうち少なくとも１つを、表示領域Ｄに表示させる情報として生成する。
【０１０３】
ここで、「バッテリユニット３１２，３２２の劣化状態に関する情報」は、例えば、予備電源装置３１０，３２０のバッテリユニット３１２，３２２の交換目安時期と、バッテリユニット３１２，３２２の交換の要否とのうち少なくとも一方を示す情報を含む。「バッテリユニット３１２，３２２の残容量に関する情報」は、例えば、第１予備電源装置３１０から供給される電力で冷蔵庫本体１００が運転される場合における冷蔵庫本体１００の運転継続可能時間（どのくらいの期間、運転を継続することができるか）と、第２予備電源装置３２０から供給される電力で端末装置２または別の端末装置が充電される場合における充電可能回数を示す情報とのうち少なくとも一方を含む。また、「バッテリユニット３１２，３２２の残容量に関する情報」は、第１予備電源装置３１０および第２予備電源装置３２０の両方から供給される電力で冷蔵庫本体１００が運転される場合における冷蔵庫本体１００の運転継続可能時間を示す情報を含んでもよい。
【０１０４】
情報生成部５１５は、通常時には、上記所定の周期で、予備電源装置３１０，３２０の異常の有無、予備電源装置３１０，３２０のバッテリユニット３１２，３２２の劣化状態を示す情報、および予備電源装置３１０，３２０のバッテリユニット３１２，３２２の残容量を示す情報を、表示領域Ｄに表示させる情報として生成する。一方で、情報生成部５１５は、災害検出部５１１により災害の発生が検出された場合、予備電源装置３１０，３２０の異常の有無、および、予備電源装置３１０，３２０のバッテリユニット３１２，３２２の残容量を示す情報を、表示領域Ｄに表示させる情報として生成する。
【０１０５】
表示制御部５１６は、表示領域Ｄに表示させる情報が情報生成部５１５により生成された場合、その情報を冷蔵庫本体１００の表示装置１５０、端末装置２の表示装置２ａ、第２予備電源装置３２０の表示装置３２５、および防災ユニット収容部２００の前面カバー２２０の背後に設けられる表示装置ＢＤに送信し、その情報を表示領域Ｄに表示させる。
【０１０６】
［５．２  防災ユニットの予備電源全体制御部］
次に、予備電源装置３００の予備電源全体制御部３６０について説明する。
予備電源全体制御部３６０は、例えば、異常検出部５２１、劣化検出部５２２、および残容量検出部５２３を有する。ただし、これら機能部の一部は、予備電源装置３００に代えて、冷蔵庫本体１００の制御部１９０または第２予備電源制御部３２８の一部として設けられてもよい。
【０１０７】
異常検出部５２１は、例えば、予備電源装置３１０，３２０のバッテリユニット３１２，３２２の試験放電を行い、電圧センサＶＳ１，ＶＳ２および電流センサＩＳ１，ＩＳ２の検出結果に基づき、予備電源装置３１０，３２０の異常の有無を検出する。異常検出部５２１の検出結果は、冷蔵庫本体１００の制御部１９０および第２予備電源制御部３２８に送信される。
【０１０８】
劣化検出部５２２は、予備電源装置３１０，３２０のバッテリユニット３１２，３２２の試験放電が行われる場合に、電圧センサＶＳ１，ＶＳ２および電流センサＩＳ１，ＩＳ２の検出結果に基づき、バッテリユニット３１２，３２２の劣化状態を検出する。ここで、予備電源装置３００の記憶部３７０には、バッテリユニット３１２，３２２の劣化特性（例えば、放電量の積算値と端子電圧の電圧降下量との組み合わせと劣化度合いとの関係）を示す情報が記憶されている。劣化検出部５２２は、上記試験放電において検出されたバッテリユニット３１２，３２２からの放電量の積算値と、バッテリユニット３１２，３２２の端子電圧の電圧降下量と、記憶部３７０に記憶された劣化特性を示す情報とに基づき、バッテリユニット３１２，３２２の劣化状態を検出する。ただし、劣化状態の検出方法は、上記例に限定されず、既知の種々の方法が利用可能である。劣化検出部５２２の検出結果は、冷蔵庫本体１００の制御部１９０および第２予備電源制御部３２８に送信される。
【０１０９】
残容量検出部５２３は、電圧センサＶＳ１，ＶＳ２により検出された予備電源装置３１０，３２０のバッテリユニット３１２，３２２の端子電圧の検出結果に基づき、バッテリユニット３１２，３２２の残容量を検出する。ただし、残容量の検出方法は、上記例に限定されず、既知の種々の方法が利用可能である。残容量検出部５２３の検出結果は、冷蔵庫本体１００の制御部１９０および第２予備電源制御部３２８に送信される。
【０１１０】
異常検出部５２１、劣化検出部５２２、および残容量検出部５２３は、通常時には、上記所定の周期でバッテリユニット３１２，３２２の試験放電などを行い、バッテリユニット３１２，３２２の異常の有無や劣化状態、バッテリユニット３１２，３２２の残容量を検出する。一方で、異常検出部５２１および残容量検出部５２３は、災害の発生を示す所定の信号を冷蔵庫本体１００の災害検出部５１１から受信した場合に、例えば、バッテリユニット３１２，３２２の端子電圧の変化の有無などに基づき、バッテリユニット３１２，３２２の異常の有無およびバッテリユニット３１２，３２２の残容量を検出し、それら検出結果を冷蔵庫本体１００の制御部１９０および第２予備電源制御部３２８に送信する。例えば、異常検出部５２１は、地震の発生を示す所定の信号を冷蔵庫本体１００の災害検出部５１１から受信した場合、地震発生後（加速度センサＡＳによる検出結果が閾値以内に収まった後）にバッテリユニット３１２，３２２の異常の有無を検出し、その検出結果を冷蔵庫本体１００の制御部１９０および第２予備電源制御部３２８に送信する。
【０１１１】
［５．３  防災ユニットの第２予備電源制御部］
次に、防災ユニット収容部２００の第２予備電源制御部３２８について説明する。
第２予備電源制御部３２８は、例えば、放電制御部５３１、残容量検出部５３２、情報生成部５３３、および表示制御部５３４を有する。ただし、これら機能部の一部は、第２予備電源装置３２０に代えて、冷蔵庫本体１００の制御部１９０または予備電源全体制御部３６０の一部として設けられてもよい。
【０１１２】
放電制御部５３１は、第２予備電源装置３２０がポータブル電源として使用され、コネクタ３２６に電力供給対象の機器が接続された場合に、第２予備電源装置３２０のバッテリユニット３２２を放電させ、放電させることで得られる電力をその機器に供給する。
【０１１３】
残容量検出部５３２は、例えば第２予備電源装置３２０がポータブル電源として使用される場合に、電圧センサＶＳ２により検出された第２予備電源装置３２０のバッテリユニット３２２の端子電圧の検出結果に基づき、バッテリユニット３２２の残容量を検出する。ただし、残容量の検出方法は、上記例に限定されず、既知の種々の方法が利用可能である。
【０１１４】
情報生成部５３３は、例えば第２予備電源装置３２０がポータブル電源として使用される場合に、残容量検出部５３２の検出結果などに基づき、第２予備電源装置３２０の表示画面Ｄ４に表示させる情報を生成する。
【０１１５】
表示制御部５３４は、表示画面Ｄ４に表示させる情報が情報生成部５３３により生成された場合、その情報を表示装置３２５に送信し、その情報を表示画面Ｄ４に表示させる。また、表示制御部５３４は、表示画面Ｄ４に表示させる情報を冷蔵庫本体１００の制御部１９０または予備電源全体制御部３６０から受信した、その情報を表示装置３２５に送信し、その情報を表示画面Ｄ４に表示させる。
【０１１６】
以上の構成によれば、ユーザの利便性の向上を図ることができる。すなわち、本実施形態では、冷蔵庫１は、断熱筐体１１０の内部に設けられ、予備電源装置３００と、防災用品７００とを収容可能な防災ユニット収容部２００を備えている。このような構成によれば、断熱筐体１１０内の空間を利用して、災害の発生時に電気および食糧を確保することができる。
【０１１７】
本実施形態では、断熱筐体１１０は、複数の貯蔵室１２０を含む。そして、防災ユニット収容部２００は、複数の貯蔵室１２０のなかで最上段の貯蔵室（例えば冷蔵室１２１）と断熱筐体１１０の天井壁１１１との間に設けられている。このような構成によれば、デッドスペースになりやすい断熱筐体１１０内の最上部を利用して防災ユニット収容部２００を設けることができる。これにより、冷蔵庫１内の利用頻度が高い空間部分の内容積の減少を抑制しつつ、災害の発生時に電気および食糧を確保することができる。
【０１１８】
本実施形態では、予備電源装置３００は、停電時に冷蔵庫本体１００に電力を供給する第１予備電源装置３１０を有する。このような構成によれば、停電が生じた場合でも冷蔵庫本体１００の運転を継続させることができ、復旧が進むまでの数日間の食糧を確保しやすくなる。また、本実施形態では、予備電源装置３００は、ポータブル電源として使用可能な第２予備電源装置３２０を含む。このような構成によれば、家庭内の所望の場所や避難所などで第２予備電源装置３２０を使用することができる。
【０１１９】
本実施形態では、第２予備電源装置３２０は、第１予備電源装置３１０と接続されることで、第１予備電源装置３１０を介して冷蔵庫本体１００から電力が供給されて充電可能である。このような構成によれば、本体コネクタ３３０に第２予備電源装置３２０用の電気接続部を設ける場合と比べて、第２予備電源装置３２０を第１予備電源装置３１０の前方に配置しやすくなる。第１予備電源装置３１０の前方に第２予備電源装置３２０が配置されると、第２予備電源装置３２０の取り出しやすさが向上する。
【０１２０】
本実施形態では、第１予備電源装置３１０は、第２予備電源装置３２０と比べて重いとともに、第２予備電源装置３２０よりも後方または第２予備電源装置３２０よりも下方に配置されている。このような構成によれば、防災ユニット収容部２００の重心が後方または下方になりやすく、防災ユニット収容部２００を備える冷蔵庫１が安定しやすくなる。
【０１２１】
（第２の実施形態）
次に、第２の実施形態の冷蔵庫１について説明する。本実施形態は、防災ユニット収容部２００が照明装置８００を収容可能な照明装置収容室ＬＳを有した点で、第１の実施形態とは異なる。なお以下に説明する以外の構成は、第１の実施形態と同様である。
【０１２２】
図１１は、第２の実施形態の防災ユニット収容部２００を示す断面図である。本実施形態では、防災ユニット収容部２００の収容室Ｓは、予備電源収容室ＰＳと、防災用品収容室ＧＳとに加え、照明装置８００が収容される照明装置収容室（照明装置収容空間）ＬＳを有する。
【０１２３】
本実施形態では、照明装置収容室ＬＳは、予備電源収容室ＰＳの右方に配置されている。照明装置収容室ＬＳと予備電源収容室ＰＳとは、略同じ高さ位置に配置されている。このような構成によれば、照明装置収容室ＬＳが防災用品収容室ＧＳと予備電源収容室ＰＳとの間に配置される場合と比べて、重量が重い予備電源装置３００が収容室Ｓの横幅方向の中心近くに配置されやすくなる。これにより、防災ユニット収容部２００を備える冷蔵庫１の横幅方向の安定性を高めることができる。
【０１２４】
予備電源収容室ＰＳと照明装置収容室ＬＳとの間には、収容室Ｓに対して着脱可能な仕切り壁２１８が設けられている。仕切り壁２１８は、合成樹脂製であり、電気絶縁性を有する。予備電源収容室ＰＳと照明装置収容室ＬＳとの間に仕切り壁２１８が設けられると、例えば地震の揺れにより万が一に予備電源装置３００が破損した場合であっても、照明装置収容室ＬＳの内部の電気的な安全性がより確実に確保される。また、仕切り壁２１８が収容室Ｓから取り外すことができると、第１予備電源装置３１０が第２予備電源装置３２０よりも大きい場合でも、第１予備電源装置３１０を収容室Ｓの前方に取り出すことができる。
【０１２５】
本実施形態では、照明装置８００は、ポータブルライトとして冷蔵庫本体１００から分離して使用可能（防災ユニット収容部２００の収容室Ｓの外部に取り出して使用可能）である。すなわち、照明装置８００は、冷蔵庫本体１００の設置場所とは異なる場所に持ち運んで使用可能である。
【０１２６】
図１２は、本実施形態の照明装置８００を示す斜視図である。照明装置８００は、例えば、照明装置ケース８０１、バッテリ８０２（図１３参照）、端子部８０３、第１ライト部８０４、第２ライト部８０５、取っ手８０６、および制御部８０７を有する。
【０１２７】
照明装置ケース８０１は、例えば長細い箱状に形成されている。照明装置ケース８０１は、第１端部８０１ａと、第２端部８０１ｂとを有する。第１端部８０１ａは、第１予備電源装置３１０に面する端部である。第２端部８０１ｂは、第１端部８０１ａとは反対側に位置し、冷蔵庫１の前方に向けて配置される端部である。バッテリ８０２は、照明装置ケース８０１の内部に収容されている。
【０１２８】
端子部８０３は、照明装置ケース８０１の第１端部８０１ａに設けられている。端子部８０３は、例えば、照明装置８００と第１予備電源装置３１０とを接続するための端子部であり、後述する第１予備電源装置３１０の第３端子部３１６と着脱可能に接続される。照明装置８００は、第１予備電源装置３１０と接続されることで、第１予備電源装置３１０、本体コネクタ３３０、および電源回路部３５０を介して冷蔵庫本体１００に電気的に接続される。これにより、照明装置８００のバッテリ８０２は、冷蔵庫本体１００から電力が供給されて充電可能になる。本実施形態では、照明装置８００のバッテリ８０２は、電源回路部３５０から電力が供給されて充電可能になる。
【０１２９】
第１ライト部８０４は、例えば、照明装置ケース８０１の第２端部８０１ｂに設けられている。第１ライト部８０４は、非常灯として機能するライト部である。例えば、第１ライト部８０４は、照明装置ケース８０１の第２端部８０１ｂの端面に設けられ、前方に向けて突出した半球状のレンズ８０４ａを有する。第１ライト部８０４は、半球状のレンズ８０４ａを有することで、第１ライト部８０４の前方および周囲に対して放射状に光を放つ。また、第１ライト部８０４から放射される光の一部は、レンズ８０４ａが半球状に形成されていることで、照明装置ケース８０１の第２端部８０１ｂの端面よりも後方（第１端部８０１ａ側）にも向かう。
【０１３０】
第２ライト部８０５は、例えば、照明装置ケース８０１において第１端部８０１ａと第２端部８０１ｂとの間に設けられている。第２ライト部８０５は、第１ライト部８０４よりも大きいライトである。第２ライト部８０５は、例えば照明装置８００がポータブルライトとして使用され、第１ライト部８０４よりも大きな光量が必要な場合に点灯される。
【０１３１】
取っ手８０６は、照明装置ケース８０１の第２端部８０１ｂに設けられている。取っ手８０６は、照明装置８００を防災ユニット収容部２００の収容室Ｓから取り出す場合や、照明装置８００を持ち運ぶ場合に、ユーザが手を掛ける部分である。取っ手８０６は、照明装置８００が防災ユニット収容部２００の収容室Ｓに収容された状態で、防災ユニット収容部２００の開口２００ａに対して照明装置８００のなかで最も近くに位置する。取っ手８０６は、防災ユニット収容部２００の前面カバー２２０が開かれた場合、防災ユニット収容部２００の開口２００ａを通じて、収容室Ｓの前方に向けて収容室Ｓの外部に露出される。
【０１３２】
制御部８０７は、例えば、１つ以上の制御基板により実現されている。制御部８０７は、第１ライト部８０４および第２ライト部８０５の点灯を制御する。本実施形態では、冷蔵庫本体１００の災害検出部５１１は、ネットワークＮＷを介して受信する災害情報と加速度センサＡＳの検出結果とのうち少なくとも一方に基づき災害の発生を検出した場合、災害の発生を示す所定の信号を照明装置８００の制御部８０７にも送信する。照明装置８００の制御部８０７は、上記所定の信号を受信した場合、解除の操作がされるまで一定時間に亘り第１ライト部８０４を点灯させる。
【０１３３】
図１３は、図１１中に示された防災ユニット収容部２００のＦ１３―Ｆ１３線に沿う断面図である。本実施形態では、第１予備電源装置３１０の横幅方向の幅Ｗ１は、第２予備電源装置３２０の横幅方向の幅Ｗ２よりも大きい。第１予備電源装置３１０は、第１領域３１０ａと、第２領域３１０ｂとを有する。第１領域３１０ａは、冷蔵庫１の前後方向で第２予備電源装置３２０と面する。第１領域３１０ａは、第２予備電源装置３２０と接続される第２端子部３１４を有する。一方で、第２領域３１０ｂは、冷蔵庫１の前後方向で照明装置８００と面する。第２領域３１０ｂは、照明装置８００と接続される第３端子部３１６を有する。
【０１３４】
本実施形態では、照明装置８００の第１ライト部８０４の少なくとも一部は、予備電源装置３００の前端部（例えば第２予備電源装置３２０の第２端部３２１ｂ）よりも前方に位置する。これにより、第１ライト部８０４は、第２予備電源装置３２０の取っ手３２４や表示画面Ｄ４、コネクタ３２６などを照らすことができる。例えば、第１ライト部８０４の少なくとも一部は、照明装置収容室ＬＳと予備電源収容室ＰＳとの間に位置する仕切り壁２１８の前端部よりも前方に位置する。これにより、第１ライト部８０４は、仕切り壁２１８に邪魔されずに、第２予備電源装置３２０の取っ手３２４や表示画面Ｄ４、コネクタ３２６などを照らすことができる。
【０１３５】
また、第１ライト部８０４の少なくとも一部は、防災用品収容室ＧＳと予備電源収容室ＰＳとの間に位置する仕切り壁２１７の前端部よりも前方に位置する。これにより、第１ライト部８０４は、仕切り壁２１７に邪魔されずに、防災用品収容室ＧＳの前端部を照らすことができる。
【０１３６】
本実施形態では、冷蔵庫本体１００の充放電制御部５１３は、照明装置８００がポータブルライトとして使用されてバッテリ８０２の残容量が低下した後に第１予備電源装置３１０と電気的に接続された場合、第１予備電源装置３１０のバッテリユニット３１２から放電される電力を用いて照明装置８００のバッテリ８０２を充電してもよい。
【０１３７】
このような構成によれば、断熱筐体１１０内の空間を利用して、災害の発生時に電気、食糧、および照明を確保することができる。なお、照明装置８００の構成は、上記例に限定されない。例えば、照明装置８００は、第１ライト部８０４と第２ライト部８０５とのうち一方のみを有してもよい。
【０１３８】
次に、第２の実施形態のいくつかの変形例について説明する。なお、各変形例において、以下に説明する以外の構成は、第２の実施形態の構成と同様である。
【０１３９】
（第１変形例）
図１４は、第1変形例の防災ユニット収容部２００を示す断面図である。本変形例では、前面カバー２２０は、透光性の部材で形成されている。「透光性の部材」とは、透明でもよく、半透明でもよく、有色であってもよい。例えば、前面カバー２２０は、導光板として形成されている。すなわち、前面カバー２２０は、前方に向いた第１面２２０ａと、第１面２２０ａとは反対側に位置した第２面２２０ｂと、第１面２２０ａと第２面２２０ｂとの間に位置する光透過部２２０ｃとを有する。第２面２２０ｂには、光を拡散させる凹凸が設けられている。
【０１４０】
本変形例では、防災ユニット収容部２００の前面カバー２２０は、照明装置８００を避ける切欠き部Ｃを有する。照明装置８００の前端部は、収容室Ｓの外部に突出している。照明装置８００の第１ライト部８０４は、前面カバー２２０の切欠き部Ｃに配置され、前面カバー２２０の一部の側方に位置する。照明装置８００は、例えば前面カバー２２０の側方から、前面カバー２２０の光透過部２２０ｃに向けて光を入射する。前面カバー２２０の光透過部２２０ｃに入射された光は、前面カバー２２０の内部を進むとともに、第２面２２０ｂによって拡散される。これにより、前面カバー２２０の全体が明るくなる。このような構成によれば、停電時に防災ユニット収容部２００の位置がより分かりやすくなる。
【０１４１】
（第２変形例）
図１５は、第２変形例の冷蔵庫１を示す断面図である。本変形例では、冷蔵室扉１３１Ａ，１３１Ｂの上端部が断熱筐体１１０の天井壁１１１と比べて低い位置に存在し、防災ユニット収容部２００の前面カバー２２０が冷蔵庫本体１００の外部に露出している。一方で、冷蔵室扉１３１Ａ，１３１Ｂと、仕切り壁２１０との間には、気密性のパッキンＰＫが設けられている。冷蔵室扉１３１Ａ，１３１Ｂと、仕切り壁２１０との間は、パッキンＰＫにより気密に塞がれる。
【０１４２】
このような構成によれば、ユーザは、災害の発生時に冷蔵室扉１３１Ａ，１３１Ｂを開けることなく、防災ユニット収容部２００の前面カバー２２０を開けて、防災ユニット収容部２００の収容室Ｓに収容された第２予備電源装置３２０や防災用品７００、照明装置８００を取り出すことができる。また、本変形例の構成によれば、第１および第２の実施形態と比べて冷気が循環する空間を小さく限定することができ、これにより冷蔵室１２１の冷却効率を高めることができる。
【０１４３】
（第３の実施形態）
次に、第３の実施形態の冷蔵庫１について説明する。本実施形態は、断熱筐体１１０の天井壁１１１の上面の窪み部Ｒに防災ユニット収容部２００が設けられた点で、第１の実施形態とは異なる。なお以下に説明する以外の構成は、第１の実施形態と同様である。
【０１４４】
図１６は、第３の実施形態の冷蔵庫１を示す断面図である。本実施形態では、防災ユニット収容部２００は、断熱筐体１１０の天井壁１１１の上面に形成された窪み部Ｒに設けられている。本実施形態の防災ユニット収容部２００は、「第２収容部」の一例である。
【０１４５】
詳しく述べると、天井壁１１１は、第１部分９０１と、第１部分９０１よりも後方に位置した第２部分９０２とを有する。第２部分９０２は、第１部分９０１と比べて低い高さに位置する。第１部分９０１と第２部分９０２との間には、例えば略鉛直方向に起立した段差９０３が存在する。段差９０３により天井壁１１１には、窪み部Ｒが形成されている。段差９０３の高さＨの一例は、第１部分９０１の厚さ（例えば最小厚さ）Ｔ１、または第２部分９０２の厚さ（例えば最小厚さ）Ｔ２よりも大きい。
【０１４６】
窪み部Ｒは、例えば断熱筐体１１０の後壁１１５に隣接する位置まで設けられている。窪み部Ｒの前後方向の寸法上の中心は、天井壁１１１の前後方向の寸法上の中心よりも後方に位置する。
【０１４７】
本実施形態では、防災ユニット収容部２００の収容室Ｓは、予備電源装置３００が収容される予備電源収容室ＰＳを含む。また、防災ユニット収容部２００は、収容室Ｓの上方を覆うカバー９２０を有する。カバー９２０は、断熱筐体１１０の天井壁１１１に着脱可能に取り付けられている。
【０１４８】
図１７は、本実施形態の冷蔵庫１を示す平面図である。なお図１７は、カバー９２０が取り外された状態を示す。本実施形態では、防災ユニット収容部２００の収容室Ｓは、断熱筐体１１０の略全幅に亘って設けられている。例えば、防災ユニット収容部２００の収容室Ｓの横幅方向の幅Ｗｙは、収容室Ｓの前後方向の幅Ｗｘよりも大きい。別の観点で見ると、防災ユニット収容部２００の収容室Ｓの横幅方向の幅Ｗｙは、右冷蔵室扉１３１Ｂの横幅方向の幅ＷＢ（または左冷蔵室扉１３１Ａの横幅方向の幅ＷＡ）よりも大きい。
【０１４９】
本実施形態では、予備電源装置３００は、第１予備電源装置３１０と、第２予備電源装置３２０とを含む。例えば、第１予備電源装置３１０と、第２予備電源装置３２０は、冷蔵庫１の横幅方向に並べて配置されている。本実施形態では、本体コネクタ３３０は、第１予備電源装置３１０が着脱可能に接続される第１端子部３３１Ａと、第２予備電源装置３２０が着脱可能に接続される第２端子部３３１Ｂとを有する。第２予備電源装置３２０は、本体コネクタ３３０の第２端子部３３１Ｂに接続されることで、冷蔵庫本体１００と電気的に接続されて充電可能になる。なお上記に代えて、第２予備電源装置３２０は、第１の実施形態と同様に、第１予備電源装置３１０に接続され、第１予備電源装置３１０を介して本体コネクタ３３０と電気的に接続されてもよい。
【０１５０】
図１８は、図１７中に示された防災ユニット収容部２００のＦ１８−Ｆ１８線に沿う断面図である。本実施形態では、取っ手３２４は、第２予備電源ケース３２１の上部に設けられている。取っ手３２４は、第２予備電源装置３２０が防災ユニット収容部２００の収容室Ｓに収容された状態で、第２予備電源ケース３２１から上方に向いて突出している。取っ手３２４は、防災ユニット収容部２００のカバー９２０が取り外された場合、防災ユニット収容部２００の外部に露出される。
【０１５１】
このような構成によれば、ユーザの利便性の向上を図ることができる。すなわち、本実施形態では、冷蔵庫１は、断熱筐体１１０の天井壁１１１の上面に形成された窪み部Ｒに設けられた防災ユニット収容部２００を備えている。このような構成によれば、デッドスペースになりやすい断熱筐体１１０の上端部を利用して、災害の発生時に電気を確保することができる。
【０１５２】
（第４の実施形態）
次に、第４の実施形態の冷蔵庫１について説明する。本実施形態は、防災ユニット収容部２００の収容室Ｓが防災用品収容室ＧＳを含む点で、第３の実施形態とは異なる。なお以下に説明する以外の構成は、第３の実施形態と同様である。
【０１５３】
図１９は、本実施形態の冷蔵庫１を示す平面図である。なお図１９は、カバー９２０が取り外された状態を示す。本実施形態では、防災ユニット収容部２００の収容室Ｓは、予備電源収容室ＰＳに加え、防災用品収容室ＧＳを有する。
【０１５４】
防災用品収容室ＧＳは、予備電源収容室ＰＳの左方に配置されている。これにより、予備電源収容室ＰＳは、収容室Ｓの横幅方向の中心に対して、右側（冷蔵庫本体１００の横幅方向の中心に対して左右の冷蔵室扉１３１Ａ，１３１Ｂの境界が偏る側とは反対側）に偏って配置されている。これにより、冷蔵庫扉１３１Ａ，１３１Ｂが閉じられた時に防災ユニット収容部２００に加わる衝撃が予備電源装置３００に伝わりにくい。
【０１５５】
図２０は、図１９中に示された防災ユニット収容部２００のＦ２０−Ｆ２０線に沿う断面図である。本実施形態では、第１予備電源装置３１０と第２予備電源装置３２０とは、例えば、上下に重ねて配置されている。具体的には、第１予備電源装置３１０は、第２予備電源装置３２０の下方に配置されている。このような構成によれば、防災ユニット収容部２００の重心が下方になりやすく、防災ユニット収容部２００を備える冷蔵庫１が安定しやすくなる。
【０１５６】
（第５の実施形態）
次に、第５の実施形態の冷蔵庫１について説明する。本実施形態は、防災ユニット収容部２００の収容室Ｓが照明装置収容室ＬＳを含む点で、第４の実施形態とは異なる。なお以下に説明する以外の構成は、第４の実施形態と同様である。
【０１５７】
図２１は、本実施形態の冷蔵庫＿を示す平面図である。なお図＿は、カバー＿が取り外された状態を示す。本実施形態では、防災ユニット収容部２００は、予備電源収容室ＰＳと、防災用品収容室ＧＳとに加え、照明装置８００が収容される照明装置収容室ＬＳを有する。
【０１５８】
本実施形態では、照明装置収容室ＬＳは、予備電源収容室ＰＳの右方に配置されている。照明装置収容室ＬＳと予備電源収容室ＰＳとは、略同じ高さ位置に配置されている。このような構成によれば、照明装置収容室ＬＳが防災用品収容室ＧＳと予備電源収容室ＰＳとの間に配置される場合と比べて、重量が重い予備電源装置３００が収容室Ｓの横幅方向の中心近くに配置されやすくなる。これにより、防災ユニット収容部２００を備える冷蔵庫１の横幅方向の安定性を高めることができる。
【０１５９】
本実施形態では、本体コネクタ３３０は、予備電源装置３００が着脱可能に接続される第１端子部３３１と、照明装置８００が着脱可能に接続される第２端子部３３２とを有する。照明装置８００は、本体コネクタ３３０の第２端子部３３２に接続されることで、冷蔵庫本体１００と電気的に接続されて充電可能になる。なお上記に代えて、第２予備電源装置３２０は、第１の実施形態と同様に、第１予備電源装置３１０に接続され、第１予備電源装置３１０を介して本体コネクタ３３０と電気的に接続されてもよい。
【０１６０】
本実施形態では、取っ手８０６は、照明装置ケース８０１の上部に設けられている。取っ手８０６は、照明装置８００が防災ユニット収容部２００の収容室Ｓに収容された状態で、照明装置ケース８０１から上方に向いて突出している。取っ手８０６は、防災ユニット収容部２００のカバー９２０が取り外された場合、防災ユニット収容部２００の外部に露出される。
【０１６１】
（第６の実施形態）
次に、第６の実施形態の冷蔵庫１について説明する。本実施形態は、防災ユニット収容部２００は、断熱筐体１１０の内部に設けられた第１収容部２００Ａと、断熱筐体１１０の天井壁１１１の窪み部Ｒに設けられた第２収容部２００Ｂとを含む。第１収容部２００Ａは、第１の実施形態の防災ユニット収容部２００と同様の構成を有する。第１収容部２００Ａは、予備電源収容室ＰＳと、防災用品収容室ＧＳと、照明装置収容室ＬＳとのうち少なくとも１つを含む。一方で、第２収容部２００Ｂは、第３の実施形態の防災ユニット収容部２００と同様の構成を有する。第２収容部２００Ｂは、予備電源収容室ＰＳと、防災用品収容室ＧＳと、照明装置収容室ＬＳとのうち少なくとも１つを含む。
【０１６２】
このような構成によれば、第１または第３の実施形態と同様に、ユーザの利便性の向上を図ることができる。
【０１６３】
以上、いくつかの実施形態および変形例について説明したが、実施形態は、上記例に限定されない。例えば、第１から第６の実施形態およびそれらの変形例は、互いに組み合わせて実現可能である。
【０１６４】
第１から第６の実施形態において、防災ユニット収容部２００は、予備電源装置３００を必ず備える必要はなく、防災用品７００が収容される防災用品収容室ＧＳのみを有してもよく、照明装置８００が収容される照明装置収容室ＬＳのみを有してもよい。
【０１６５】
第１から第６の実施形態において、予備電源装置３００は、第１予備電源装置３１０と第２予備電源装置３２０とを含む構成に限定されない。例えば、第１および第２の実施形態において、予備電源装置３００は、第１予備電源装置３１０のみによって構成されてもよいし、第２予備電源装置３２０のみによって構成されてもよい。また、第３から第５の実施形態において、予備電源装置３００は、第２予備電源装置３２０のみによって構成されてもよい。第３から第５の実施形態において、照明装置８００は、持ち運び可能な照明装置に限定されず、断熱筐体１１０に固定された照明装置でもよい。
【０１６６】
第１から第６の実施形態において、第２予備電源装置３２０は、第１予備電源装置３１０を介して冷蔵庫本体１００に電気的に接続されてもよく、本体コネクタ３３０に設けられた端子部に直接接続されることで、第１予備電源装置３１０を介さずに冷蔵庫本体１００と電気的に接続され、冷蔵庫本体１００から供給される電力により充電されてもよい。
【０１６７】
以上説明した少なくともひとつの実施形態によれば、冷蔵庫は、断熱筐体と、収容部とを持つ。前記断熱筐体は、天井壁を有する。前記収容部は、第１収容部と、第２収容部とのうち少なくとも一方を含む。前記第１収容部は、前記断熱筐体の内部に設けられ、冷気吹出口が存在しないとともに、予備電源装置と、防災用品と、持ち運び可能な照明装置とのうち少なくとも１つを収容可能である。前記第２収容部は、前記天井壁の上面に形成された窪み部に設けられ、少なくとも一部がポータブル電源として使用可能な予備電源装置と、防災用品と、照明装置とのうち少なくとも１つを収容可能である。このような構成によれば、ユーザの利便性の向上を図ることができる。
【０１６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６９】
１…冷蔵庫、２…端末機器、１００…冷蔵庫本体、１１０…断熱筐体、１１１…天井壁、１２０…貯蔵室、１３０…扉、２００…防災ユニット収容部、２００ａ…開口、２１０…仕切り壁、２２０…前面カバー、３００…予備電源装置、３１０…第１予備電源装置、３２０…第２予備電源装置、３３０…本体コネクタ（コネクタ）、７００…防災用品、８００…照明装置、ＰＳ…予備電源収容室、ＧＳ…防災用品収容室、ＬＳ…照明装置収容室。
【図１】
2020085298.tif 000003
【図２】
2020085298.tif 000004
【図３】
2020085298.tif 000005
【図４】
2020085298.tif 000006
【図５】
2020085298.tif 000007
【図６】
2020085298.tif 000008
【図７】
2020085298.tif 000009
【図８】
2020085298.tif 000010
【図９】
2020085298.tif 000011
【図１０】
2020085298.tif 000012
【図１１】
2020085298.tif 000013
【図１２】
2020085298.tif 000014
【図１３】
2020085298.tif 000015
【図１４】
2020085298.tif 000016
【図１５】
2020085298.tif 000017
【図１６】
2020085298.tif 000018
【図１７】
2020085298.tif 000019
【図１８】
2020085298.tif 000020
【図１９】
2020085298.tif 000021
【図２０】
2020085298.tif 000022
【図２１】
2020085298.tif 000023
【図２２】
2020085298.tif 000024